(57)【要約】【課題】バッグ部に衝撃を加えた後にバッグ部が直立状態に安定して復帰し、かつ、格闘技での実戦に近い感覚で練習することができる、スタンド型のサンドバッグを提供する。【解決手段】内部に緩衝材が充填されたバッグ部２は、台座部３により、直立した姿勢で支持される。台座部３は、下方に凸湾曲する半球状に形成されている。そのため、バッグ部２に突き、蹴り、打ちなどの衝撃が加えられると、その衝撃力により、衝撃が加えられた部分が弾性変形し、また、仮想線で示されるように、台座部３が支点となってサンドバッグ１の全体が傾動する。【選択図】図１
0003214227.tif 000002
【実用新案登録請求の範囲】
【請求項１】
内部に緩衝材が充填されたバッグ部と、
前記バッグ部の下端に接続されて、前記バッグ部を直立した姿勢で支持する台座部とを一体に備え、
前記台座部は、下方に凸湾曲する半球状に形成され、
前記台座部の底部には、錘が収容されている、サンドバッグ。
【請求項２】
前記バッグ部は、円柱状に形成されたバッグ本体部を有し、
前記台座部は、前記バッグ本体部の外径よりも大きい外径を上端に有し、
前記バッグ部は、前記台座部の上端から上方に向けて窄まる下部をさらに有している、請求項１に記載のサンドバッグ。
【請求項３】
前記台座部は、円形状の底面を有し、
前記底面の直径は、前記上端の外径に対する比率が３５％〜４５％の範囲内である、請求項２に記載のサンドバッグ。
【請求項４】
前記錘は、鉄製である、請求項１〜３のいずれか一項に記載のサンドバッグ。
【考案の詳細な説明】
【技術分野】
【０００１】
本考案は、空手やボクシングなどの格闘技の練習に好適に使用されるスタンド型（自立型）のサンドバッグに関する。
【背景技術】
【０００２】
従来、床上に自立させて使用するスタンド型のサンドバッグが知られている。スタンド型のサンドバッグは、天井などからつり下げて使用するタイプのものとは異なり、任意の場所に自由に移動させて容易に設置して使用できるので便利である。
【０００３】
図４は、従来のスタンド型のサンドバッグ１０１の斜視図である。
【０００４】
サンドバッグ１０１は、金属製の支柱１０２と、内部に緩衝材が充填されて、支柱１０２が中心線に沿って挿入される円柱状のバッグ部１０３と、バッグ部１０３を直立した姿勢で支持する台座部１０４とを備えている。台座部１０４は、バッグ部１０３よりも大径で扁平な円柱状に形成されており、使用時にはその内部に砂または水などが充填される。そのため、バッグ部１０３に突き、蹴り、打ちなどの衝撃が加えられたときに、台座部１０４が床上で動かずに安定したまま、バッグ部１０３が弾性変形により傾く。そして、その傾いたバッグ部１０３は、バッグ部１０３に生じる復元力により、台座部１０４上で直立した状態に戻る。
【先行技術文献】
【特許文献】
【０００５】
【特許文献１】実用新案登録第３０９１８４４号公報
【考案の概要】
【考案が解決しようとする課題】
【０００６】
ところが、その台座部１０４が不動のサンドバッグ１０１では、バッグ部１０３に加えられた衝撃力の一部がバッグ部１０３の弾性変形によって吸収されるのみで、その残りの力の反力を衝撃を加えた手または足などが受ける。そのため、格闘技の実戦で対戦相手に衝撃を加えたときと比べて、手または足などに加わる反力が大きく、その反力を受けたときの感覚が大きく異なる。
【０００７】
本考案の目的は、バッグ部に衝撃を加えた後にバッグ部が直立状態に安定して復帰し、かつ、格闘技での実戦に近い感覚で練習することができる、スタンド型のサンドバッグを提供することである。
【課題を解決するための手段】
【０００８】
前記の目的を達成するため、本考案に係るサンドバッグは、内部に緩衝材が充填されたバッグ部と、バッグ部の下端に接続されて、バッグ部を直立した姿勢で支持する台座部とを一体に備え、台座部は、下方に凸湾曲する半球状に形成され、台座部の底部には、錘が収容されている。
【０００９】
この構成によれば、内部に緩衝材が充填されたバッグ部は、台座部により、直立した姿勢で支持される。台座部は、下方に凸湾曲する半球状に形成されている。そのため、バッグ部に突き、蹴り、打ちなどの衝撃が加えられると、その衝撃力により、衝撃が加えられた部分が弾性変形し、また、台座部が支点となってサンドバッグの全体が傾動する。その結果、衝撃力がバッグ部の弾性変形とサンドバッグの傾動とにより吸収されるので、バッグ部に衝撃を加えた手または足（脚）などに加わる反力は、バッグ部の弾性変形による反力のみとなり、格闘技の実戦で対戦相手に衝撃を加えたときに手または足が受ける反力に近くなる。
【００１０】
また、台座部が下方に凸湾曲する半球状に形成され、その底部に錘が収容されているので、たとえサンドバッグの全体が横倒しになる状態まで傾いたとしても、錘に働く重力が台座部を元の位置に戻す力として作用し、台座部が元の位置に戻る。
【００１１】
よって、バッグ部に衝撃を加えた後にバッグ部が直立状態に安定して復帰し、かつ、格闘技などでの実戦に近い感覚で練習することができる。
【００１２】
また、バッグ部と台座部とが一体に形成されていることにより、バッグ部に衝撃が加えられたときにバッグ部と台座部との接続部分にストレスが生じることを抑制でき、サンドバッグの耐久性を高めることができる。
【００１３】
バッグ部は、円柱状に形成されたバッグ本体部を有し、台座部は、バッグ本体部の外径よりも大きい外径を上端に有し、バッグ部は、その上端から上方に向けて窄まる下部を有していてもよい。
【００１４】
台座部は、円形状の底面を有し、底面の直径は、上端の外径に対する比率が３５％〜４５％の範囲内であることが好ましい。
【００１５】
これにより、バッグ部にある程度の大きさを超える衝撃力が加えられたときに、サンドバッグの全体を傾動させることができる。
【００１６】
錘は、小さいサイズで大きな重量を得ることができ、かつ、安価かつ容易に製造できる材料からなることが好ましく、たとえば、鉄製であってもよい。
【考案の効果】
【００１７】
本考案によれば、バッグ部に衝撃を加えた後にバッグ部が直立状態に安定して復帰し、かつ、格闘技などでの実戦に近い感覚で練習することができる。
【図面の簡単な説明】
【００１８】
【図１】本考案の一実施形態に係るサンドバッグの斜視図である。
【図２】バッグ部の斜視図である。
【図３】台座部の斜視図である。
【図４】従来のスタンド型のサンドバッグの斜視図である。
【考案を実施するための形態】
【００１９】
以下では、本考案の実施の形態について、添付図面を参照しつつ詳細に説明する。
【００２０】
図１は、本考案の一実施形態に係るサンドバッグ１の斜視図である。
【００２１】
サンドバッグ１は、床上に自立させて使用するスタンド型のサンドバッグであり、バッグ部２および台座部３を備えている。バッグ部２および台座部３は、ターポリン生地からなる表皮４に被覆されることにより一体化されている。サンドバッグ１の上下方向の寸法（高さ）は、約１６０ｃｍである。
【００２２】
図２は、バッグ部２の斜視図である。
【００２３】
バッグ部２は、バッグ本体部１１および接続部１２を上下に有している。
【００２４】
バッグ本体部１１は、表皮４にウレタン製の緩衝材を充填することにより円柱状に形成されている。バッグ本体部１１の上下方向の寸法は、約１１５ｃｍであり、外径は、約３０ｃｍである。
【００２５】
接続部１２は、発泡ポリエチレン（ＥＰＥ：Expanded Poly-Ethylene）を用いて略円錐台形状に成形されており、バッグ本体部１１の下端に固着されている。接続部１２の底面は、弾性変形が生じていない状態で下方に膨出している。バッグ部２が台座部３と一体化された状態では、接続部１２の底部が弾性変形しており、そのときの接続部１２の上下方向の寸法は、約２０ｃｍである。
【００２６】
図３は、台座部３の斜視図である。
【００２７】
台座部３は、外枠部２１および錘２２を備えている。
【００２８】
外枠部２１は、樹脂を用いて椀状に成形されている。具体的には、外枠部２１は、円形状の底面２３と、底面２３の周縁から側方に拡がりつつ上方に延びる側面２４とを有し、全体として下方に凸湾曲する半球状に形成されている。底面２３の直径は、約２０ｃｍである。外枠部２１の上端の外径は、バッグ本体部１１の外径よりも大きく、約５０ｃｍである。外枠部２１の側面２４は、表皮４により被覆されている。
【００２９】
錘２２は、鉄製である。錘２２は、外枠部２１の底部に収容されており、外枠部２１の内面にほぼ沿った形状の側面と、その側面の上端を閉塞するように設けられる上面２５とを有している。上面２５には、すり鉢状の凹部２６が形成されており、その凹部２６を跨ぐように横棒２７が形成されている。これにより、サンドバッグ１の製造工程において、錘２２を外枠部２１の底部に配置するときに、作業者が横棒２７を手で把持して、錘２２を取り扱うことができる。
【００３０】
また、サンドバッグ１には、図１に示されるように、持ち手３１が各部、たとえば、表皮４におけるバッグ部２の上端面、バッグ部２の接続部１２の側面および台座部３の側面を覆う部分に取り付けられている。持ち手３１は、帯状をなし、その両端部が表皮４に縫い付けられている。持ち手３１が各部に設けられていることにより、サンドバッグ１を楽に持ち運ぶことができる。
【００３１】
以上のように、内部に緩衝材が充填されたバッグ部２は、台座部３により、直立した姿勢で支持される。台座部３は、下方に凸湾曲する半球状に形成されている。そのため、バッグ部２に突き、蹴り、打ちなどの衝撃が加えられると、その衝撃力により、衝撃が加えられた部分が弾性変形し、また、図１に仮想線で示されるように、台座部３が支点となってサンドバッグ１の全体が傾動する。その結果、衝撃力がバッグ部２の弾性変形とサンドバッグ１の傾動とにより吸収されるので、バッグ部２に衝撃を加えた手または足（脚）などに加わる反力は、バッグ部２の弾性変形による反力のみとなり、格闘技の実戦で対戦相手に衝撃を加えたときに手または足が受ける反力に近くなる。
【００３２】
また、台座部３が下方に凸湾曲する半球状に形成され、その底部に錘２２が収容されているので、たとえサンドバッグ１の全体が横倒しになる状態まで傾いたとしても、錘２２に働く重力が台座部３を元の位置に戻す力として作用し、台座部３が元の位置に戻る。
【００３３】
よって、バッグ部２に衝撃を加えた後にバッグ部２が直立状態に安定して復帰し、かつ、格闘技などでの実戦に近い感覚で練習することができる。
【００３４】
また、バッグ部２と台座部３とが一体に形成されていることにより、バッグ部２に衝撃が加えられたときにバッグ部２と台座部３との接続部分にストレスが生じることを抑制でき、サンドバッグ１の耐久性を高めることができる。
【００３５】
台座部３の外枠部２１は、円形状の底面２３を有し、底面２３の直径は、外枠部２１の上端の外径に対する比率が３５％〜４５％である。そのため、バッグ部２にある程度の大きさを超える衝撃力が加えられたときに、サンドバッグ１の全体を傾動させることができる。
【００３６】
また、錘２２は、鉄製であるので、小さいサイズで大きな重量を得ることができ、かつ、安価かつ容易に製造することができる。
【００３７】
以上、本考案の一実施形態について説明したが、本考案は、他の形態で実施することもできる。
【００３８】
たとえば、前述の実施形態で示した各部の材料および寸法は、一例であり、適宜に変更することができる。
【００３９】
その他、実用新案登録請求の範囲に記載された事項の範囲で種々の設計変更を施すことが可能である。
【符号の説明】
【００４０】
１：サンドバッグ
２：バッグ部
３：台座部
１１：バッグ本体部
１２：接続部（下部）
２２：錘
２３：底面
【図１】
0003214227.tif 000003
【図２】
0003214227.tif 000004
【図３】
0003214227.tif 000005
【図４】
0003214227.tif 000006